(57)【要約】      （修正有）【課題】僅かな構成部品から構成され、設置が容易なフラットスクリーン用壁掛け装置を提供する。【解決手段】長さを変更可能な第一の棒２と、第一の棒をほぼ水平な向きで少なくとも一つの壁７に固定する固定器具と、フラットスクリーン１４の裏側に固定することが可能であるとともに、第一の棒にねじ込むことが可能な少なくとも二つのフック５と、これらのフックのための閉鎖部品１６とを備える。【選択図】図１
0003203664.tif 000002
【実用新案登録請求の範囲】
【請求項１】
フラットスクリーン用壁掛け装置であって、
長さを変更可能な第一の棒（２，２２）と、
第一の棒（２，２２）をほぼ水平な向きで少なくとも一つの壁（７，２７，２８）に固定する固定器具（３）と、
フラットスクリーン（１４）の裏側に固定することが可能であるとともに、第一の棒（２，２２）に掛止することが可能な少なくとも二つのフック（５，２５）と、
これらのフック（５）のための閉鎖部品（１６）と、
を備えた壁掛け装置。
【請求項２】
第一の棒（２，２２）が伸縮自在棒であることを特徴とする請求項１に記載の壁掛け装置。
【請求項３】
固定器具（３）が少なくとも二つの管押さえ（４）を備えていることを特徴とする請求項１又は２に記載の壁掛け装置。
【請求項４】
固定器具（３）が、第一の棒（２２）の両端を掛止することが可能な二つの棒収容部（２４）を備えていることを特徴とする請求項１又は２に記載の壁掛け装置。
【請求項５】
フラットスクリーン（１４）の裏側に固定することが可能であるとともに、壁（７）で支えられる、長さを変更可能な第二の棒（６）を備えていることを特徴とする請求項１から４までのいずれか一つに記載の壁掛け装置。
【請求項６】
各フック（５）が二つの貫通穴（１８，１９）を有することと、
フック（５）が、閉鎖部品として釘（１６）又はコッターピンを備えていることと、
この釘（１６）又はコッターピンが、二つの貫通穴（１８，１９）を通してフック（５）に差し込むことが可能であることと、
を特徴とする請求項１から５までのいずれか一つに記載の壁掛け装置。
【考案の詳細な説明】
【技術分野】
【０００１】
本考案は、フラットスクリーン用壁掛け装置に関する。
【背景技術】
【０００２】
そのような壁掛け装置は、通常フラットスクリーンの裏側に配置する第一の板と、壁に配置する第二の板とを備えている。両方の板は、旋回アーム又は少なくとも一つの折曲げアームにより互いに接続されている。そのようにして、フラットスクリーンと壁が成す角度を調整することができる。そのような壁掛け装置は製造と設置に負担がかかることが欠点であると分かっている。
【考案の概要】
【考案が解決しようとする課題】
【０００３】
本考案の課題は、幾つかの僅かな構成部品からのみ構成される、設置が容易なフラットスクリーン用壁掛け装置を提供することである。
【課題を解決するための手段】
【０００４】
本課題は、請求項１の特徴を有する壁掛け装置によって解決される。この壁掛け装置は、一つ又は二つの壁にほぼ水平の向きで固定される長さを変更可能な第一の棒と、フラットスクリーンの裏側に固定されて、この第一の棒に掛止される少なくとも二つのフックとを備えていることを特徴とする。これらのフックは、閉鎖位置でフックを一つの留め輪又は一つのリングに変える一つの閉鎖部品を備えている。それによって、意図しない力がフラットスクリーンに作用した時にフックが第一の棒から外れることができて、フラットスクリーンが床に落下することを防止している。
【０００５】
フラットスクリーンの筐体は、通常裏側にねじ山付きスリーブを配備されている。更に、フラットスクリーンの筐体の裏側には、窪み又は貫通穴を設けることができる。これらのねじ山付きスリーブ、窪み又は貫通穴にフックを固定することができる。そのために、例えば、フラットスクリーンの筐体と壁掛け装置のフックの間には、ねじ又はコネクタ接続が適している。更に、これらのフックは、二つのフック部分から成るダブルフックとして構成することもでき、そのため、一方のフック部分をフラットスクリーンの筐体に、他方のフック部分を棒に掛止することが可能である。
【０００６】
この固定器具は、それを用いて、第一の棒を一つの壁又は二つの壁に固定することができるように構成され、二つの壁は１８０度以内の角度を成す。それにより、この壁掛け装置は、フラットスクリーンを平坦な壁に配置するだけでなく、フラットスクリーンを二つの壁により区切られた角にも掛けることが可能である。この場合、固定器具は、第一の棒の両端で、或いは第一の棒から間隔を開けた区画で第一の棒を支える。一つの壁で壁掛け装置を固定する場合、固定器具が第一の棒を支える区画をほぼ自由に選択することができる。二つの壁で壁掛け装置を固定する場合、固定器具は、有利には、第一の棒の両端で第一の棒を支える。
【０００７】
この第一の棒は、その長さが可変であり、そのため、使用場所及びフラットスクリーンの大きさに合わせることができる。二つの壁により区切られた角に壁掛け装置を固定する場合、第一の棒は、その長さを精確にフラットスクリーンの所望の向きに合わせて調整することができる。
【０００８】
この壁掛け装置を設置するためには、先ず固定器具を一つ又は二つの壁に固定する。この場合、固定器具を用いて一つ又は二つの壁に配置された第一の棒をほぼ水平の方向に向けることを考慮する。それに続いて、第一の棒の長さを使用場所及び固定すべきフラットスクリーンに合わせて、第一の棒を固定器具に配置する。フラットスクリーンの裏側にフックを固定する。これらのフックにより、フラットスクリーンを第一の棒に掛止する。閉鎖部品により、フックを閉じて、第一の棒に繋止する。設置後、清掃目的又は電気コンセント、外部データメディア又はそれ以外の機器との抜き差しのために必要な場合、フラットスクリーンを第一の棒の周りに回転することができる。
【０００９】
従って、本考案による壁掛け装置は、幾つかの僅かな構成部品だけから構成される。更に、この装置は速く簡単に設置できる。
【００１０】
本考案の有利な実施形態では、第一の棒は伸縮自在棒である。
【００１１】
本考案の別の有利な実施形態では、この固定器具は、少なくとも二つの管押さえを備えている。それらは、一つの部分又は二つの部分から成る管押さえとすることができる。これらの管押さえは、その閉鎖位置で第一の棒を取り囲む。この第一の棒をほぼ水平な向きで壁に配置するためには、第一の棒を二つの異なる区画で保持する少なくとも二つの管押さえが必要である。これらの管押さえを壁に固定するために、これらの管押さえは、例えば、接続用ねじ山を備えている。この接続用ねじ山は、例えば、管押さえと固く接続される雌ねじ部分とすることができる。この接続用ねじ山には、ねじ山付き棒又はねじ山付き釘がねじ込まれる。このねじ山付き棒又はねじ山付き釘は壁に固定される。これらの管押さえは、プラスチック又は金属から構成することができる。これらの管押さえの閉鎖位置では、意図せずに第一の棒が固定器具から外れることができないように、第一の棒は繋止される。
【００１２】
本考案の別の有利な実施形態では、この固定器具は、第一の棒の両端を掛止することが可能な二つの棒収容部を有する。これらの棒収容部の各々はＵ字形状の輪郭を形成する。この輪郭は、下方と側面から第一の棒を包み込む。この輪郭は、上方に向かって開いており、そのため、上方から第一の棒を輪郭に挿入することができる。必要な場合、この輪郭は、棒を組み込んだ後、上方に向かって開いた側を閉じることができる。そのような輪郭は、衣服用棒を衣服用箪笥に掛けるためにも知られている。これらの棒収容部を二つの壁により形成される角に配置する場合、二つの棒収容部の各々は、壁に対する棒収容部の傾斜を調整するために、一つのソケットに配置される。この配置の際に、第一の棒の各端は、棒収容部の中の一つに配置される。この場合、棒の正面側がそれぞれ棒収容部に収容される。
【００１３】
本考案の別の有利な実施形態では、この壁掛け装置は、フラットスクリーンの裏側に固定することが可能であるとともに、壁で支えられる、長さを変更可能な第二の棒を備えている。この場合、フラットスクリーンの裏側に配置された棒は、有利には、フラットスクリーンの裏側からほぼ垂直に後方に向かって突き出る。これは、フラットスクリーンを棒に掛止した時に棒とフックの下に位置する。第二の棒の長さによって、棒に掛止したフラットスクリーンの傾斜角を調整することができる。第二の棒は、例えば、フラットスクリーンの裏側において、その筐体に貼り付けられる。
【００１４】
本考案の別の有利な実施形態では、第一の棒は丸い横断面を有する。
【００１５】
本考案の別の有利な実施形態では、棒の直径は１．０ｃｍ〜２．５ｃｍ、特に有利には、１．５ｃｍ〜２．５ｃｍである。特に有利な実施例では、直径は１．９ｃｍである。
【００１６】
本考案の別の有利な実施形態では、棒の長さは、少なくとも２５ｃｍ、特に有利には、少なくとも２８ｃｍである。
【００１７】
本考案の別の有利な実施形態では、棒の長さは、最大８０ｃｍ、特に有利には、少なくとも５０ｃｍである。
【００１８】
本考案の別の有利な実施形態では、各フックのための閉鎖部品として、二つの穴を通してフックに差し込まれる釘又はコッターピンが配備される。それに代わって、フックをカラビナ式フックとして構成することができる。
【００１９】
本考案の更に別の利点及び有利な実施形態は、以下の記述、図面及び請求項から読み取ることが可能である。
【００２０】
図面には、本考案による壁掛け装置の二つの実施例が図示されている。
【図面の簡単な説明】
【００２１】
【図１】壁に配置した壁掛け装置の第一の実施例とフラットスクリーンの側面図
【図２】図１の壁掛け装置の第一の棒、固定器具及びフックの部分図
【図３】第一の棒と図１の壁掛け装置の固定器具の側面図
【図４】図１の壁掛け装置のフックの側面図
【図５】図１の壁掛け装置の第二の棒の側面図
【図６】図１の壁掛け装置とフラットスクリーンを上から見た図
【図７】一つの角を区切る二つの壁に配置された壁掛け装置の第二の実施例を上から見た図
【考案を実施するための形態】
【００２２】
図１〜６には、壁掛け装置１の第一の実施例が図示されている。この壁掛け装置１は、長さを変更可能な第一の棒２、二つの管押さえ４を備えた固定器具３、二つのフック５及び長さを変更可能な第二の棒６を有する。この場合、長さを変更可能な第一の棒２は、固定器具３により壁７に固定される。そのために、両方の管押さえ４は、それぞれ接続用ねじ山８とねじ山付き棒９を備えている。このねじ山付き棒９は、壁７に繋止される。そのことは図３に図示されている。これらの管押さえ４は、両方同じ形である。それらは二つの部分から成る管押さえである。これらの各管押さえ４の二つの部分１０，１１は、ねじ１２，１３によって互いに締め付けられて、それによって、棒２に対して押し付けられる。それにより、棒２は管押さえ４内に締め付けられる。
【００２３】
図１では、固定器具３の管押さえ４はフック５により隠れており、従って見ることができない。
【００２４】
図２では、第一の棒２の一部が管押さえ４及びフック５と共に図示されている。それは、フラットスクリーンの裏側を向いた側を見た図である。この図には、そうしなければフラットスクリーンが棒２、管押さえ４及びフック５を隠すので、フラットスクリーンを図示していない。この図面では、二つの部分から成る管押さえ４の部分１０と、この部分１０を図３に図示された管押さえ４の第二の部分１１と接続する二つのねじ１２，１３とを見ることができる。更に、フック５が図２に図示されている。このフック５は、第一の貫通穴１５、第二の貫通穴１７及び第三の貫通穴１８を有する。更に、このフックは、図４で見ることができる第四の貫通穴１９を有する。これらの第一と第二の貫通穴１５，１７は、フック５をフラットスクリーン１４の裏側に固定する役割を果たす。この固定形態も、図４に側面図で図示されている。ねじ２０は固定する役割を果たす。これらは、フラットスクリーン１４の裏側のねじ山付きスリーブにねじ込まれる。これらの第三の貫通穴１８と第四の貫通穴１９は、フック５を第一の棒２に繋止する釘１６のための収容部としての役割を果たす。そのことは図４に図示されている。
【００２５】
図４では、固定器具がより良く見えるように、ねじ山付き棒９だけが図示されている。管押さえ４と接続用ねじ山８は図示されていない。これらは、何れにせよ図４に図示されたフック５により少なくとも部分的に隠れている。
【００２６】
フラットスクリーンの裏側には、フック５の下方に、フラットスクリーン１４の裏側から後方に向かって壁７の方向に突き出た、長さを変更可能な第二の棒６が固定されている。この第二の棒６により、フラットスクリーン１４の下方領域を壁７で支えている。
【００２７】
第二の棒６の長さによって、フラットスクリーンの傾斜を調整することができる。
【００２８】
図６では、壁掛け装置１が上から見た図で図示されている。この図では、第一の棒２、固定器具３の二つの管押さえ４、フック５、壁７及びフラットスクリーン１４を見ることができる。
【００２９】
図７は、壁掛け装置２１の第二の実施例を上から見た図で図示している。それは、第一の実施例と同様に、長さを変更可能な第一の棒２２、固定器具及び二つのフック２５を備えている。第一の実施例との違いは、壁掛け装置２１の固定に関して、一つの角を区切る二つの壁２７，２８である。第二の実施例では、二つの壁２７，２８が９０°の角度を成している。この固定器具は、それぞれ棒２２の端を包み込むとともに、二つの壁２７，２８の中の一方にそれぞれ配置された二つの棒収容部２４を備えている。確かに第一の実施例と同様に、二つのフック２５がフラットスクリーン１４の裏側に固定されて、棒２２に掛止されている。
【００３０】
本考案の全ての特徴は、個別的にも、互いに任意に組み合せても本考案にとって重要な特徴とすることができる。
【符号の説明】
【００３１】
１    壁掛け装置
２    長さを変更可能な第一の棒
３    固定器具
４    管押さえ
５    フック
６    長さを変更可能な第二の棒
７    壁
８    接続用ねじ山
９    ねじ山付き棒
１０    管押さえの部分
１１    管押さえの部分
１２    ねじ
１３    ねじ
１４    フラットスクリーン
１５    第一の貫通穴
１６    釘
１７    第二の貫通穴
１８    第三の貫通穴
１９    第四の貫通穴
２０    ねじ
２１    壁掛け装置
２２    長さを変更可能な第一の棒
２４    棒収容部
２５    フック
２７    壁
２８    壁
【図１】
0003203664.tif 000003
【図２】
0003203664.tif 000004
【図３】
0003203664.tif 000005
【図４】
0003203664.tif 000006
【図５】
0003203664.tif 000007
【図６】
0003203664.tif 000008
【図７】
0003203664.tif 000009